(57)【要約】 【課題】研修時に、介護者としての基本的な各種の疑似体験を得るための片側麻痺疑似体験用装着セットを提供する。  【解決手段】片側麻痺の身体障害者の身体状況を、介護者の疑似体験として、身体への装着具で理解するために、疑似体験用装着セットとして、胴脇に第１のファスナー部材を設けたベルト状サポータと、肘を中心として腕周りに巻きつけて、伸縮性バンドで固定する肘サポータとからなり、該肘サポータには、前記ファスナー部材に着脱可能に固定される第２のファスナー部材が装備されていることを特徴とする。  【選択図】図４  
0003103376.tif 000002
【実用新案登録請求の範囲】
【請求項１】
片側麻痺の身体状況を、介護者の疑似体験として身体への装着具で理解するための片側麻痺疑似体験用装着セットであって、胴脇に第１のファスナー部材を設けたベルト状サポータと、肘を中心として腕周りに巻きつけて、伸縮性バンドで固定する肘サポータとからなり、該肘サポータには、前記ファスナー部材に着脱可能に固定される第２のファスナー部材が装備されていることを特徴とする片側麻痺疑似体験用装着セット。  
【請求項２】
前記ベルト状サポータと肘サポータのセットに、外側に足裏が傾くように、かつ、足首が後側に１００ないし１１０度、好ましくは、後側に１０４ないし１０６度傾くように、足首および足を保持し、固定バンドで固定する構造をもった下肢装具を加えたことことを特徴とする、請求項１に記載の片側麻痺疑似体験用装着セット。  
【請求項３】
前記第１及び第２のファスナー部材は、面ファスナーで構成されていることを特徴とする、請求項１または２に記載の片側麻痺疑似体験用装着セット。  
【考案の詳細な説明】
【技術分野】
【０００１】
本考案は、片側麻痺の身体障害者の身体状況を、介護者の疑似体験として、身体への装着具で理解するための片側麻痺疑似体験用装着セットに関するものである。  
【背景技術】
【０００２】
片側麻痺の身体障害者を介護する立場の者は、比較的若い健常者である場合が多く、実感として、上半身麻痺や半身麻痺（上・下半身麻痺）による身体的な不自由さを理解することが難しい。この点を疑似体験させることは、介護者にとってはなはだ有効である。  
【０００３】
しかしながら、従来から、手・足、視覚・聴覚などの個々の疾患部についての、高齢者疑似体験用装着具が提唱されているが、介護者の研修用に、片側麻痺の身体障害者の体験用具として、セットにしたものがなかった。  
【考案の開示】
【考案が解決しようとする課題】
【０００４】
本考案は、上記事情に基づいてなされたもので、その目的とするところは、研修時に、介護者としての、片側麻痺の身体障害者の基本的な疑似体験を得るための片側麻痺疑似体験用装着セットを提供することを目的とする。  
【課題を解決するための手段】
【０００５】
この目的達成のために、本考案では、片側麻痺の身体状況を、介護者の疑似体験として身体への装着具で理解するための片側麻痺疑似体験用装着セットであって、胴脇に第１のファスナー部材を設けたベルト状サポータと、肘を中心として腕周りに巻きつけて、伸縮性バンドで固定する肘サポータとからなり、該肘サポータには、前記ファスナー部材に着脱可能に固定される第２のファスナー部材が装備されていることを特徴とする。  
【０００６】
また、本考案では、前記ベルト状サポータと肘サポータのセットに、外側に足裏が傾くように、かつ、足首が後側に１００ないし１１０度、好ましくは、後側に１０４ないし１０６度傾くように、足首および足を保持し、固定バンドで固定する構造をもった下肢装具を加えたことことを特徴とする。  
【０００７】
また、本考案の好ましい実施例として、前記第１及び第２のファスナー部材は、面ファスナーで構成されているのが、有効である。  
【考案の効果】
【０００８】
このような疑似体験用装着セットを用いることで、介護の研修に際して、片側麻痺の身体障害者の介護についての疑似体験を基本的に得ることができる。これにより、研修の成果を向上することができ、効率的に、介護者の養成ができる。  
【考案を実施するための最良の形態】
【０００９】
以下、本考案の片側麻痺疑似体験用装着セットについて、図示の実施例を参照して、具体的に説明する。  
【実施例１】
【００１０】
本考案の装着セットは、その基本部分として、片側麻痺の身体状況を、介護者の疑似体験として身体への装着具で理解するための片側麻痺疑似体験用装着セットであって、胴脇に第１のファスナー部材１を設けたベルト状サポータ２と、肘を中心として腕周りに巻きつけて、バンド３で固定する肘サポータ４とからなる。  
【００１１】
なお、この実施の形態では、ベルト状サポータ２は、中央に腰当となる幅広い部分２Ａがあり、そこに、ファスナー部材１（この実施例では、雌・雄で結合する面ファスナーの片方）を装着し、また、一端側に延びる２本のベルト部分２Ｂの先端側に雌・雄で結合する面ファスナー５を設け、更に、これらファスナーがある面とは反対側の面において、他端側に延びる１本の幅広なベルト部分２Ｃの先端側に面ファスナー５に着脱可能に固定される他方の面ファスナー６が設けられている。  
【００１２】
また、肘サポータ４は、要すれば、サポータの長手方向に伸びる細いアルミロッド（若干の柔軟性を持たせている）からなるシーネ（添え木：図示せず）などを備えたサポータ本体４Ａおよびこれから延びる前述のバンド３に、雌・雄で結合する面ファスナー７、８を設けたものである。また、サポータ本体４Ａの外側には、ファスナー部材１に着脱可能な第２のファスナー部材１Ａ（この実施例では、雌・雄で結合する面ファスナーの他方）が装着されている。  
【００１３】
このような構成では、麻痺を予想する身体の片側の脇に腰当を位置させて、ベルト部分２Ｂ、２Ｃを胴に回して、面ファスナー５、６により、ベルト状サポータ２を身体に装着し、また、対応する片側の肘の位置に肘サポータ４を当て（この場合、ベルト状サポータ２の腰当にあるファスナー部材１に対向するように、ファスナー部材１Ａの位置を決める）、面ファスナー７、８により、肘サポータ４を腕に固定する。この状態で、ファスナー部材１にファスナー部材１Ａを着脱自在に固定することで、肘サポータ４をベルト状サポータ２に支持させる。これによって、片腕が麻痺した身体障害者と同様に、片腕の動きが拘束されて、起立、歩行の際の、動きの鈍さ、不便さ、痛感などの半身麻痺の実体験が可能となる。なお、歩行動作の補助として、杖９を用具に加えておくとよい。  
【００１４】
なお、この実施例では、ベルト状サポータ２と肘サポータ４のセットに、外側に足裏が傾くように、かつ、足首が後側に１００ないし１１０度、好ましくは、後側に１０４ないし１０６度傾くように、足首および足を保持し、固定バンド１０、１１、１２（面ファスナー付き）で固定する構造をもった下肢装具１３を加えている。  
【００１５】
そして、麻痺を予想する片側の足に下肢装具１３を当て、固定バンド１０、１１、１２で足、足首、下肢を拘束する。これにより、上半身片側麻痺の実体験に加えて、起立、歩行の際、下半身片側麻痺の実体験ができる。  
【００１６】
なお、上述の実施例では、ファスナー部材１、１Ａに面ファスナーを用いたが、他の連結手段（例えば、バンドなどの手段）を用いてもよく、サポータ２、４にベルトを設け、これに面ファスナーを取り付けて、ベルトの長さ調節で、片側麻痺の程度を体験するための拘束の程度を決定するようにしてもよい。  
【産業上の利用可能性】
【００１７】
本考案の片側麻痺の身体障害者に係る疑似体験用装着セットは、その拘束の程度に工夫を加えることで、障害の重度に合わせた実体験（研修）にも有効である。  
【図面の簡単な説明】
【００１８】
【図１】本考案の装着セットの一部としての、ベルト状サポータの正面及び背面図である。
【図２】同じく、装着セットの一部としての、肘サポータの正面及び背面図である。
【図３】同じく、装着セットの一部としての、下肢装具の正面及び側面図である。
【図４】本考案の装着セットを用いた状態を示す使用態様の説明図である。
【符号の説明】
【００１９】
１    第１のファスナー部材  
１Ａ    第２のファスナー部材  
２    ベルト状サポータ  
２Ａ    幅広い部分  
２Ｂ、２Ｃ    ベルト部分  
３    バンド  
４    肘サポータ  
４Ａ    サポータ本体  
５、６    面ファスナー  
７、８    面ファスナー  
９    杖  
１０、１１、１２    固定バンド  
１３    下肢装具  
【図１】
0003103376.tif 000003
【図２】
0003103376.tif 000004
【図３】
0003103376.tif 000005
【図４】
0003103376.tif 000006
【手続補正書】
【提出日】平成16年4月16日(2004.4.16)
【手続補正１】
【補正対象書類名】実用新案登録請求の範囲
【補正対象項目名】全文
【補正方法】変更
【補正の内容】
【実用新案登録請求の範囲】
【請求項１】
片側麻痺の身体状況を、介護者の疑似体験として身体への装着具で理解するための片側麻痺疑似体験用装着セットであって、胴脇に第１のファスナー部材を設けたベルト状サポータと、肘を中心として腕周りに巻きつけて、伸縮性バンドで固定する肘サポータとからなり、該肘サポータには、前記ファスナー部材に着脱可能に固定される第２のファスナー部材が装備されていることを特徴とする片側麻痺疑似体験用装着セット。
【請求項２】
前記ベルト状サポータと肘サポータのセットに、外側に足裏が傾くように、かつ、足首が後側に１００ないし１１０度傾くように、足首および足を保持し、固定バンドで固定する構造をもった下肢装具を加えたことことを特徴とする、請求項１に記載の片側麻痺疑似体験用装着セット。
【請求項３】
前記ベルト状サポータと肘サポータのセットに、外側に足裏が傾くように、かつ、足首が後側に１０４ないし１０６度傾くように、足首および足を保持し、固定バンドで固定する構造をもった下肢装具を加えたことことを特徴とする、請求項１に記載の片側麻痺疑似体験用装着セット。
【請求項４】
前記第１及び第２のファスナー部材は、面ファスナーで構成されていることを特徴とする、請求項１ないし３のいずれか１項に記載の片側麻痺疑似体験用装着セット。